(57)【特許請求の範囲】
【請求項１】
撮像装置の被写体を照明する照明装置であって、
照明光を発光する光源部と、
前記光源部から発光された前記照明光を透過させる透光部材と、
前記光源部を前記照明光の光軸方向に移動させて前記透光部材に対して進退させる移動機構と、
前記透光部材から放射された放射光を受光して受光量から前記透光部材の温度を計測する温度センサを含む計測ユニットと、
前記光源部の前記移動方向における存在位置に関わらず前記透光部材から放射された前記放射光が前記温度センサに入射するように、前記光源部の前記移動方向における前記存在位置に応じて、前記計測ユニットの少なくとも一部を変位せしめる計測ユニット可動部と、
を備えることを特徴とする照明装置。
【請求項２】
前記計測ユニット可動部は、前記光源部の前記存在位置に応じて、前記透光部材と前記温度センサとを結ぶ光軸の経路を変更することを特徴とする請求項１に記載の照明装置。
【請求項３】
前記計測ユニットは前記光源部上に支持されており、
前記計測ユニット可動部は、前記光源部の前記存在位置に関わらず前記温度センサの光軸が前記透光部材に向けられるように、前記光源部の前記移動方向における存在位置に応じて、前記照明光の光軸に対する該温度センサの受光部の角度を変更することを特徴とする請求項１又は請求項２に記載の照明装置。
【請求項４】
前記計測ユニットは、
前記光源部上に支持され、且つ前記透光部材から放射された前記放射光を反射せしめて前記温度センサへ導く反射光学部材を含み、
前記計測ユニット可動部は、前記光源部の前記移動方向における存在位置に応じて、前記照明光の光軸に対する前記反射光学部材の反射面の角度を変更することを特徴とする請求項１又は請求項２に記載の照明装置。
【請求項５】
前記温度センサを、前記光学部材の移動範囲内の第１位置と、当該第１位置より前記透光部材から更に離間する第２位置との間で移動可能に支持し、且つ該反射光学部材が該第１位置に移動した場合に、該温度センサを該第２位置に移動せしめるセンサ移動機構を更に備えることを特徴とする請求項４に記載の照明装置。
【請求項６】
前記計測ユニット可動部は、前記光源部の移動方向に関わらず、前記透光部材の中央部から放射された前記放射光が前記温度センサに入射するように、前記光源部の前記移動方向における存在位置に応じて、前記透光部材と前記温度センサとを結ぶ光軸の経路を変更することを特徴とする請求項２〜請求項５の何れか１項に記載の照明装置。
【請求項７】
前記透光部材と前記温度センサとを結ぶ光軸を通過させる開口を含み、且つ該開口の径を変化可能な絞り機構と、
前記光源部が前記透光部材側へ移動される場合には前記開口の径を相対的に増加させ、前記光源部が前記透光部材から離間する方向へ移動する場合には該開口の径を相対的に縮小させるよう前記絞り機構を制御する測定ユニット制御部と、
を更に備えることを特徴とする請求項１〜請求項６の何れか１項に記載の照明装置。
【請求項８】
前記計測ユニットは、前記光源部からの発光が完了した後で、前記透光部材から放射された放射光を受光して受光量から前記透光部材の温度を計測し、該光源部からの発光が行われている最中は前記計測を禁止することを特徴とする請求項１〜請求項７の何れか１項に記載の照明装置。
【請求項９】
前記温度センサは、前記透光部材から放射された赤外光を受光し、その受光量から前記透光部材の温度を測定する赤外放射温度センサであることを特徴とする請求項１〜請求項８の何れか１項に記載の照明装置。
【発明の詳細な説明】
【技術分野】
【０００１】
本発明は、照明装置に関する。
【背景技術】
【０００２】
ストロボのフレネルレンズを空冷することにより、該フレネルレンズの温度上昇を抑制する技術が知られている（例えば、特許文献１参照）。また、接触型温度センサによりストロボの昇圧回路を測定する技術が知られている（例えば、特許文献２参照）。
【先行技術文献】
【特許文献】
【０００３】
【特許文献１】特開２００７−１９２９７１号公報
【特許文献２】特開２００７−２２７３４７号公報
【発明の概要】
【発明が解決しようとする課題】
【０００４】
光源から発光された照明光の光路を遮ることなく、該照明光を透過する光学部材の、該照明光の通過領域における温度を実測することにより温度管理を精度よく実施できる照明装置を提供することを課題とする。
【課題を解決するための手段】
【０００５】
上記課題を解決するために、本発明の第１の態様においては、照明光を発光する光源部（１４０）と、前記光源部から発光された前記照明光を透過させる透光部材（１６０）と、前記光源部を前記照明光の光軸方向に移動させて前記透光部材に対して進退させる移動機構（１５０）と、前記透光部材から放射された放射光を受光して受光量から前記透光部材の温度を計測する温度センサを含む計測ユニット（１９０）と、前記光源部の前記移動方向における存在位置に関わらず前記透光部材から放射された前記放射光が前記温度センサに入射するように、前記光源部の前記移動方向における前記存在位置に応じて、前記温度計測ユニットの少なくとも一部を変位せしめる計測ユニット可動部（１７０）と、を備えることを特徴とする照明装置（１００）を提供する。
【０００６】
なお、上記の発明の概要は、本発明の必要な特徴の全てを列挙したものではない。また、これらの特徴群のサブコンビネーションもまた、発明となりうる。
【発明の効果】
【０００７】
本発明によれば、光源から発光された照明光の光路を遮ることなく、該照明光を透過する光学部材の、該照明光の通過領域における温度を実測することにより温度管理を精度よく実施できる照明装置を提供することができる。
【図面の簡単な説明】
【０００８】
【図１】照明装置１００を示す斜視図である。
【図２】照明装置１００を示す斜視図である。
【図３】照明装置１００を示す側断面図である。
【図４】可動筐体１３０を示す側断面図である。
【図５】他の実施形態に係る照明装置を示す側断面図である。
【図６】他の実施形態に係る照明装置を示す側断面図である。
【図７】照明装置１００を装着した撮像装置２００の構造を模式的に示す縦断面図である。
【図８】他の実施形態に係る撮像装置３００の構造を模式的に示す斜視図である。
【発明を実施するための形態】
【０００９】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１０】
図１は、本実施形態に係る照明装置を示す斜視図である。この図に示すように、照明装置１００は、相互に連結された固定筐体１１０と可動筐体１３０とを備えている。
【００１１】
固定筐体１１０は、下端面に配された取付部１２０と、前面に配された補助光光源１１１及びリモート用レディライト１１３とを備えている。取付部１２０は、カメラボディのホットシューに嵌合する取付脚１２２と、ホットシューにおいて信号を伝達する連動接点１２４とを備えている。取付脚１２２をホットシューに嵌合させた状態で、固定筐体１１０が、カメラボディに固定される。
【００１２】
補助光光源１１１は、透明なカバー１１５に覆われており、動作モードに応じて発光する。例えば、補助光光源１１１は、暗い撮影環境下でオートフォーカス動作が実行される場合に、被写体を照明する。また、リモート用レディライト１１３は、照明装置１００から離れた位置で操作する場合に、後述するメインキャパシタへの充電完了を通知する。
【００１３】
可動筐体１３０は、図示の状態において前面に配される閃光発生部１４０と、側面に配されるロック解除ボタン１３６とを備えている。また、可動筐体１３０は、閃光発生部１４０の前面側に、広角拡散板１４１とキャッチライト反射板１４３とを備えている。広角拡散板１４１とキャッチライト反射板１４３とは、可動筐体１３０の内部に収容可能であり、必要に応じて閃光発生部１４０の前面に配したり、可動筐体１３０の内部に収容したりされる。
【００１４】
可動筐体１３０は、後端近傍に配された水平回動部１３２と垂直回動部１３４とを備えている。水平回動部１３２の下端は、固定筐体１１０の上端面に結合され、水平回動部１３２の上端は、垂直回動部１３４を介して可動筐体１３０に結合されている。即ち、可動筐体１３０は、水平回動部１３２及び垂直回動部１３４を介して水平方向及び垂直方向に回動可能に固定筐体１１０に結合されている。従って、閃光発生部１４０を被写体に向けて直接に被写体を照明することができる他、閃光発生部１４０を被写体から外れた方向に向けて、間接光により被写体を照明することもできる。
【００１５】
水平回動部１３２及び垂直回動部１３４は、ロック機構により係止されることによって所定の回動位置で停止される一方、ロック解除ボタン１３６がユーザにより操作された場合には、回動する。これにより、可動筐体１３０が不用意に向きを変えることが防止されている。
【００１６】
閃光発生部１４０は、可動筐体１３０の前面に配されたフレネルレンズ１６０を備えている。また、閃光発生部１４０は、可動筐体１３０の内部に配された後述の光源部を備えており、光源部から発光された閃光を当該フレネルレンズ１６０に対して直交する方向へ照射させる。
【００１７】
図２は、照明装置１００を背面側から示す斜視図である。この図に示すように、固定筐体１１０の背面には、表示部２０２と操作部２０４とが配されている。表示部２０２は、液晶表示パネル１１４とレディライト１１６とを含む。操作部２０４は、複数のボタン１１８とダイアル１１９とを含む。
【００１８】
図３は、照明装置１００を示す側断面図である。この図に示すように、固定筐体１１０は、電池室１１２と、該電池室１１２に収容された電池１８０と、電池１８０により電力を供給されて動作する電子回路１８２とを内蔵している。電子回路１８２は、照明装置１００を制御する後述のＣＰＵ、カメラボディとの通信を司る通信装置等の他、閃光発生部１４０に供給する高電圧を発生する昇圧回路等も含む。
【００１９】
可動筐体１３０は、閃光発生部１４０の他に、閃光発生部１４０に電力を供給するメインキャパシタ１３８も内蔵する。メインキャパシタ１３８は、電子回路１８２の昇圧回路から印加される高電圧により迅速に充電される。また、電子回路１８２から閃光発生の指令を受けた場合に急速に放電する。
【００２０】
閃光発生部１４０は、閃光を発生する放電管１４２、例えばキセノン管と、放電管１４２が発生した閃光を反射する反射傘１４４とを備えている。放電管１４２は、メインキャパシタ１３８から高電圧を印加された場合に放電して閃光を発生させる。また、反射傘１４４は、閃光発生部１４０の前方側に向けて開口しており、放電管１４２から発光された閃光を、閃光発生部１４０の前方側へ向けて出射させる。なお、閃光の光軸Ｌ１は、フレネルレンズ１６０の中央部を通過する。
【００２１】
また、可動筐体１３０には、閃光発生部１４０を閃光の光軸Ｌ１の方向に移動させる移動機構１５０が内蔵されている。移動機構１５０は、モータ１５２と、モータ１５２より回転されるボールネジ１５４と、閃光発生部１４０をボールネジ１５４に支持する支持部１５６とを備えている。
【００２２】
モータ１５２は、閃光発生部１４０の移動領域１５１より後方下側に配されている。モータ１５２の回転軸は、光軸Ｌ１と平行に配されており、当該回転軸とボールネジ１５４とが一体的に形成されている。即ち、ボールネジ１５４は、移動領域１５１の後方下側から光軸Ｌ１と平行に前方側へ延在している。
【００２３】
支持部１５６は、板材であって、支持部１５６の下端はボールネジ１５４に螺合され、支持部１５６の上端は反射傘１４４の下面に結合されている。また、支持部１５６は、ボールネジ１５４と平行に配されたガイドバーと摺動自在に嵌合している。このため、ボールネジ１５４がモータ１５２により回転された場合には、支持部１５６及び閃光発生部１４０は、光軸Ｌ１の方向へ移動する。
【００２４】
また、可動筐体１３０には、計測ユニット１９０と、計測ユニット可動機構１７０とが配されている。計測ユニット１９０は、反射傘１４４の上部に支持された温度センサ１９２を備えている。温度センサ１９２は、計測対象物から放射された赤外光を受光して、その受光量から計測対象物の温度を計測すう赤外放射温度センサである。また、計測ユニット可動機構１７０は、温度センサ１９２を反射傘１４４の上部に支持するセンサ支持部１７２と、温度センサ１９２の移動経路１９３の上側に光軸Ｌと平行に延設されたガイド部材１７４とを備えている。
【００２５】
詳細は後述するが、温度センサ１９２の受光面は、閃光発生部１４０の光軸Ｌ１方向の位置に関わらず、フレネルレンズ１６０の中央部に向けられる。即ち、温度センサ１９２の受光面の中央部から法線方向へ延びる測定光軸Ｌ２が、フレネルレンズ１６０の中央部に到達し、且つ光軸Ｌ１と交差する。これにより、閃光発生部１４０の光軸Ｌ１方向の位置に関わらず、フレネルレンズ１６０の中央部から放射された赤外光を受光する。そして、温度センサ１９２は、その受光量からフレネルレンズ１６０の中央部の温度を計測する。
【００２６】
図４は、可動筐体１３０を示す側断面図である。この図に示すように、フレネルレンズ１６０は、その中央部を中心とした矩形状の領域である集光領域１６２と、集光領域１６２の周囲を囲む拡散領域１６４とを備えている。集光領域１６２は、反射傘１４４の前端と、同等の面積、同等の形状をしており、放電管１４２が発光した閃光を集光させる。一方、拡散領域１６４は、放電管１４２が発光した閃光を拡散させる。
【００２７】
センサ支持部１７２は、反射傘１４４の上部に立設された支持板１７６と、支持板１７６の上端に回転自在に支持され温度センサ１９２が固定されたカム板１７８とを備えている。カム板１７８は、半円形状のカム部１７７が形成された偏心カムである。該カム板１７８では、カム部１７７の回転半径は、カム部１７７の周方向中央部において最大となり、該中央部から両端部にかけて減少する。
【００２８】
ガイド部材１７４は、後方側から前方側へかけて光軸Ｌ１側から離間する側へ傾斜するテーパ面１７５が形成された部材である。閃光発生部１４０が、図中実線で示すように移動領域１５１における後端（以下、テレ端という）に位置する状態で、回転軸１７９からテーパ面１７５までの距離が、カム部１７７の回転半径の最大値より短く最小値より長い値となる。また、閃光発生部１４０が、図中破線で示すように移動領域１５１における前端（以下、ワイド端という）に位置する状態で、回転軸１７９からテーパ面１７５までの距離は、ワイド端に位置する状態での値より短く回転半径の最小値より長い値となる。
【００２９】
ここで、カム板１７８は、捩りコイルバネ又は板バネ等の弾性力を有する付勢部材により、図中反時計周り方向、即ち、回転軸１７９よりテーパ面１７５側に位置するカム部１７７が前方側へ回転する方向へ付勢されている。このため、閃光発生部１４０がテレ端に位置する場合には、カム部１７７の回転半径が最大となる部位より図中反時計回り方向に存する部位Ｐ１が、付勢部材の付勢力によりテーパ面１７５に圧接される。また、閃光発生部１４０がワイド端に位置する場合には、カム部１７７における上記部位Ｐ１より図中時計回り方向に存する部位Ｐ２が、付勢部材の付勢力によりテーパ面１７５に圧接される。
【００３０】
また、温度センサ１９２は、閃光発生部１４０の光軸Ｌ１方向の位置に関わらず、回転軸１７９より前方側且つカム部１７７より下側に位置するように、カム板１７８に固定されている。温度センサ１９２は、閃光発生部１４０がテレ端に位置する状態でもワイド端に位置する状態でも、その測定光軸Ｌ２が、フレネルレンズ１６０の中央部、即ち集光領域１６２の中央部に到達するように配されている。
【００３１】
上述の電子回路１８２は、ＣＰＵ１６６と、発光制御回路１６８と、モータドライバ１６９とを備えている。ＣＰＵ１６６は、照明装置１００全体の制御を司る。また、発光制御回路１６８は、メインキャパシタ１３８の放電及び充電を制御する昇圧回路と、放電管１４２の発光のオン／オフの切替、発光量の調整等を実施する光源制御回路とを含んでいる。また、モータドライバ１６９は、モータ１５２のオン／オフの切替、回転方向の切替等を実施する。
【００３２】
温度センサ１９２は、ＣＰＵ１６６に接続されており、計測結果をＣＰＵ１６６へ出力する。ＣＰＵ１６６は、温度センサ１９２による計測値が閾値以上である場合に、発光制御回路１６８へ、放電管１４２の発光禁止、及びメインキャパシタ１３８の放電禁止の指令を出力する。また、ＣＰＵ１６６は、温度センサ１９２による計測値が閾値以上である場合に、表示部２０２へ警告表示を表示させたり、スピーカーから警告音を発生させたりする。
【００３３】
ＣＰＵ１６６は、放電管１４２による閃光の発光を開始させてから終了させるまでの間は、温度センサ１９２による温度の計測を停止させる。そして、ＣＰＵ１６６は、放電管１４２による閃光の発光が終了して数ｍｓｅｃが経過した後に、温度センサ１９２による温度の計測を開始させる。
【００３４】
ここで、本実施形態に係る照明装置１００の作用について説明する。照明装置１００では、閃光発生部１４０がテレ端に位置する場合、カム部１７７の上記部位Ｐ１が付勢部材の付勢力によりガイド部材１７４のテーパ面１７５に圧接される。この状態において、温度センサ１９２の測定光軸Ｌ２は、フレネルレンズ１６０の集光領域１６２の中央部に到達する。
【００３５】
また、閃光発生部１４０がモータ１５２の駆動によりテレ端からワイド端へ向けて光軸Ｌ１に沿って移動されると、回転軸１７９とテーパ面１７５との距離が徐々に拡大することから、カム板１７８が、付勢部材の付勢力により図中反時計回り方向へ回転する。これにより、温度センサ１９２の測定光軸Ｌ２の光軸Ｌ１に対する傾斜角度が増加する。この間、温度センサ１９２の測定光軸Ｌ２は、絶えず、フレネルレンズ１６０の集光領域１６２の中央部に到達する。
【００３６】
一方で、閃光発生部１４０がワイド端からテレ端へ向けて光軸Ｌ１に沿って移動されると、回転軸１７９とテーパ面１７５との距離が徐々に縮小することから、カム板１７８が、付勢部材の付勢力に抗して図中時計回り方向へ回転する。これにより、温度センサ１９２の測定光軸Ｌ２の光軸Ｌ１に対する傾斜角度が減少する。この間、温度センサ１９２の測定光軸Ｌ２は、絶えず、フレネルレンズ１６０の集光領域１６２の中央部に到達する。
【００３７】
即ち、照明装置１００では、計測ユニット可動機構１７０が、温度センサ１９２の姿勢を、閃光発生部１４０の光軸Ｌ１方向への移動に連動して変化させ、温度センサ１９２の測定光軸Ｌ２の経路を変化させる。そして、当該計測ユニット可動機構１７０は、閃光発生部１４０の光軸方向Ｌ１における存在位置に関わらず、温度センサ１９２の測定光軸Ｌ２を、フレネルレンズ１６０の集光領域１６２の中央部に到達させる。
【００３８】
また、照明装置１００では、非接触型の温度センサ１９２が、フレネルレンズ１６０の集光領域１６２から放射された放射光を受光して、その受光量から該集光領域１６２の温度を計測する。ここで、非接触型の温度センサ１９２を用いてフレネルレンズ１６０の温度を測定することにより、温度センサ１９２を、放電管１４２から発光された閃光の光路１４９の外に配することが可能となっている。
【００３９】
以上により、照明装置１００では、閃光発生部１４０の光軸Ｌ１方向における存在位置に関わらず、放電管１４２から発光された閃光の光路１４９を遮ることなく、該閃光を透過するフレネルレンズ１６０の集光領域１６２の温度をリアルタイムで実測することができる。従って、閃光発生部１４０の光軸Ｌ１方向における存在位置に関わらず、照明装置１００の照明機能を損ねることなく、フレネルレンズ１６０の温度管理を精度よく実施できる。
【００４０】
また、温度センサ１９２の受光部を、放電管１４２から発光された閃光の光路１４９の外に配置することができることにより、温度センサ１９２の周辺温度の上昇を抑制できる。よって、温度センサ１９２の計測値の誤差成分を減少でき、以って、温度センサ１９２によるフレネルレンズ１６０の温度測定の精度を向上できる。
【００４１】
また、フレネルレンズ１６０における光軸Ｌ１が通過する集光領域１６２は、その周囲の拡散領域１６４と比較して温度上昇が大きい。ここで、温度センサ１９２の測定光軸Ｌ２が、フレネルレンズ１６０の光軸Ｌ１が通過する集光領域１６２に向けられると共に、温度センサ１９２の検知範囲が該集光領域１６２に限定されている。従って、本実施形態に係る照明装置１００では、フレネルレンズ１６０における最高温度を検知できるので、フレネルレンズ１６０の熱破壊を効果的に抑制できる。
【００４２】
また、温度センサ１９２を、閃光発生部１４０の移動経路の外側に配したことにより、温度センサ１９２により閃光発生部１４０の可動範囲が制限されることを防止できる。特に、閃光発生部１４０のワイド端側への移動範囲が温度センサ１９２により制限されることを防止できる。
【００４３】
また、本実施形態に係る照明装置１００では、フレネルレンズ１６０の最高温度に上昇する測定点を実測できる。即ち、当該測定点の温度を、当該測定点の外周側に離れて設定された他の測定点の温度から推測するのではなく、実測できる。従って、フレネルレンズ１６０の最高温度に上昇する測定点の温度管理を精度よく実施できる。
【００４４】
ここで、フレネルレンズ１６０の温度は、放電管１４２が閃光を発光した瞬間に上昇するが、フレネルレンズ１６０の熱破壊を誘因するのは、閃光発光後にフレネルレンズ１６０に蓄積する熱である。そこで、照明装置１００では、ＣＰＵ１６６が、放電管１４２による閃光の発光を開始させてから終了させるまでの間は、温度センサ１９２による温度の計測を停止させる。そして、ＣＰＵ１６６が、放電管１４２による閃光の発光が終了して数ｍｓｅｃが経過した後に、温度センサ１９２による温度の計測を開始させる。
【００４５】
これにより、フレネルレンズ１６０の熱破壊を効果的に抑制できる。また、温度センサ１９２を間欠的に動作させることにより、温度センサ１９２の作動時間を短縮でき、消費電力を低減できる。
【００４６】
なお、本実施形態では、温度センサ１９２として赤外光を受光してその受光量から測定対象物の温度を計測する赤外放射温度センサを用いた。しかし、温度センサ１９２としては、可視光を受光してその受光量から測定対象物の温度を計測する他の放射温度センサも適用できる。また、放電管１４２として照明光としての閃光を発光するキセノン管を用いたが、ＬＥＤを用いてもよい。また、ＣＰＵ１６６による温度センサ１９２の温度計測の開始／終了についての制御は、後述の実施形態に係る照明装置においても実施できる。
【００４７】
図５は、他の実施形態に係る計測ユニット２９０を備える可動筐体１３０を示す側断面図である。この図に示すように、計測ユニット２９０は、温度センサ１９２と、ハーフミラー２９２とを備えている。また、可動筐体１３０における移動領域１５１の上側には、温度センサ１９２を光軸Ｌ１に沿って移動可能に支持するセンサ移動機構２５０が配されている。
【００４８】
センサ移動機構２５０は、モータ２５２と、ボールネジ２５４と、支持部２５６とを備えている。モータ２５２は、移動領域１５１の後方上側に、回転軸が光軸Ｌ１と平行となるように配されている。ボールネジ２５４は、モータ２５２の回転軸と一体的に形成されており、光軸Ｌ１と平行にモータ２５２から前方側へ延在している。また、支持部２５６は、ボールネジ２５４に螺合しており、支持部２５６の下端には、温度センサ１９２が固定されている。
【００４９】
ここで、温度センサ１９２は、センサ移動機構２５０により、テレ端より前方側の第１位置と、テレ端より後方側の第２位置との間で移動される。また、温度センサ１９２は、その測定光軸Ｌ２が光軸Ｌ１と平行となるように配されている。
【００５０】
ハーフミラー２９２は、カム板１７８に固定されている。また、ハーフミラー２９２は、温度センサ１９２の測定光軸Ｌ２の経路に配されている。さらに、ハーフミラー２９２は、上部が前方側へ傾斜するように配されており、温度センサ１９２の測定光軸Ｌ２を、光軸Ｌ１側へ屈曲させている。
【００５１】
また、ハーフミラー２９２は、閃光発生部１４０の光軸Ｌ１方向の位置に関わらず、回転軸１７９より前方側且つカム部１７７より下側に位置するように、カム板１７８に固定されている。ハーフミラー２９２は、閃光発生部１４０がテレ端に位置する状態でもワイド端に位置する状態でも、温度センサ１９２の測定光軸Ｌ２が、フレネルレンズ１６０の中央部、即ち集光領域１６２の中央部に到達するように配されている。
【００５２】
上述の電子回路１８２は、ＣＰＵ１６６等の他に、モータドライバ２５８を備えている。ＣＰＵ１６６は、閃光発生部１４０をテレ端に移動させる場合には、モータドライバ２５８に駆動指令を出力してモータ２５２を作動させ、温度センサ１９２を、ハーフミラー２９２の移動領域外の第２位置へ移動させる。一方、ＣＰＵ１６６は、閃光発生部１４０をテレ端からワイド端側へ移動させる場合には、モータドライバ２５８に駆動指令を出力してモータ２５２を作動させ、温度センサ１９２を第２位置からワイド端側の第１位置へ前進させる。
【００５３】
本実施形態に係る照明装置では、閃光発生部１４０がテレ端に位置する場合、温度センサ１９２の測定光軸Ｌ２は、ハーフミラー２９２により屈曲されてフレネルレンズ１６０の集光領域１６２の中央部に到達する。この状態において、温度センサ１９２は、ハーフミラー２９２の移動領域より後方側に位置する。
【００５４】
また、閃光発生部１４０がモータ１５２の駆動によりテレ端からワイド端へ向けて光軸Ｌ１に沿って移動されると、カム板１７８が、付勢部材の付勢力により図中反時計回り方向へ回転する。これにより、ハーフミラー２９２の前方側への傾斜が徐々に大きくなり、ハーフミラー２９２により屈曲された温度センサ１９２の測定光軸Ｌ２の光軸Ｌ１に対する傾斜角度が増加する。この間、ハーフミラー２９２により屈曲された温度センサ１９２の測定光軸Ｌ２は、絶えず、フレネルレンズ１６０の集光領域１６２の中央部に到達する。また、温度センサ１９２は、センサ移動機構２５０によりワイド端側へ前進される。
【００５５】
一方で、閃光発生部１４０がワイド端からテレ端へ向けて光軸Ｌ１に沿って移動されると、カム板１７８が、付勢部材の付勢力に抗して図中時計回り方向へ回転する。これにより、ハーフミラー２９２の前方側への傾斜が徐々に小さくなり、ハーフミラー２９２により屈曲された温度センサ１９２の測定光軸Ｌ１に対する傾斜角度が減少する。この間、ハーフミラー２９２により屈曲された温度センサ１９２の測定光軸Ｌ２は、絶えず、フレネルレンズ１６０の集光領域１６２の中央部に到達する。また、温度センサ１９２は、センサ移動機構２５０によりハーフミラー２９２の移動領域より後方側へ退避される。
【００５６】
以上により、本実施形態に係る照明装置では、閃光発生部１４０の光軸Ｌ１方向における存在位置に関わらず、放電管１４２から発光された閃光の光路１４９を遮ることなく、該閃光を透過するフレネルレンズ１６０の集光領域１６２の温度をリアルタイムで実測することができる。従って、閃光発生部１４０の光軸Ｌ１方向における存在位置に関わらず、照明装置の照明機能を損ねることなく、フレネルレンズ１６０の温度管理の精度を向上させることができる。
【００５７】
ここで、閃光発生部１４０がワイド端に位置する場合に、フレネルレンズ１６０の温度上昇が大きくなり、熱破壊の可能性も増加する。そこで、本実施形態に係る照明装置では、閃光発生部１４０をハーフミラー２９２と共にワイド端側へ移動させる場合に、温度センサ１９２をワイド端側へ移動させ、フレネルレンズ１６０に接近させる。
【００５８】
これにより、フレネルレンズ１６０から放射され温度センサ１９２に受光される放射光の光量の減衰を抑制でき、また、温度センサ１９２の検出範囲の拡大を抑制でき、以って、温度センサ１９２による温度測定の精度を向上させることができる。また、閃光発生部１４０をテレ端に移動させる場合には、温度センサ１９２を、ハーフミラー２９２の移動領域から後方側のスペースへ退避させることにより、ハーフミラー２９２との干渉を防止できる。なお、ハーフミラー２９２に替えてプリズムを用いてもよい。
【００５９】
図６は、他の実施形態に係る計測ユニット３９０を備える可動筐体１３０を示す側断面図である。この図に示すように、計測ユニット３９０は、温度センサ１９２と、絞り３９２とを備えている。絞り３９２は、温度センサ１９２の受光面１９１に面して配されており、温度センサ１９２の測定光軸Ｌ２が通過する開口を備えている。該開口は、開口量を可変であり、当該開口量は、ＣＰＵ１６６により制御される。
【００６０】
ＣＰＵ１６６は、閃光発生部１４０がテレ端に位置する場合に開口量が最大となり、閃光発生部１４０がワイド端に位置する場合に開口量が最小となるように、絞り３９２を制御する。
【００６１】
ここで、温度センサ１９２と測定対象物であるフレネルレンズ１６０との距離が大きくなるにつれて、温度センサ１９２の検知範囲が拡大する傾向にある。そこで、本実施形態では、温度センサ１９２がテレ端側へ移動される場合には、絞り３９２の開口量を減少させて、フレネルレンズ１６０から放射された赤外光の光束を絞ることにより、温度センサ１９２の検知範囲を制限する。
【００６２】
一方、ＣＰＵ１６６は、温度センサ１９２がワイド端側へ移動される場合には、絞り３９２の開口量を増加させて、温度センサ１９２の検知範囲を、テレ端側に移動した温度センサ１９２の検知範囲と同等にする。従って、温度センサ１９２の光軸Ｌ１方向の位置による測定バラツキを抑制でき、以って、温度センサ１９２の光軸Ｌ１方向の位置に関わらず、フレネルレンズ１６０の温度測定を高精度に実施できる。
【００６３】
なお、本実施形態では、ＣＰＵ１６６により絞り３９２の開口量を制御した。しかし、閃光発生部１４０の光軸Ｌ１方向の移動に連動して絞り３９２の開口量を変化させる機構を設けてもよい。また、絞り３９２を閃光発生部１４０に設置して閃光発生部１４０と共に光軸Ｌ１方向へ変位させることは必須でなく、絞り３９２の位置を不変としてもよい。さらに、本実施形態では、温度センサ１９２の姿勢を変化させると共に、絞り３９２の開口量を変化させたが、温度センサ１９２の姿勢を一定として、絞り３９２の開口量を変化させるだけでもよい。
【００６４】
図７は、照明装置１００を装着した撮像装置２００の構造を模式的に示す縦断面図である。この図に示すように、撮像装置２００は、レンズユニット４１０およびボディ４６０を含む。
【００６５】
レンズユニット４１０は、マウント４５０を介して、ボディ４６０に対して着脱自在に装着される。レンズユニット４１０は、光学部材４２０、光学部材４２０を収容する鏡筒４３０、および、鏡筒４３０の内部に設けられて光学部材４２０を駆動するモータ４０１を含む。一方、ボディ４６０は、メインミラー５４０、ペンタプリズム４７０、接眼光学系４９０を含む光学系を有する。
【００６６】
メインミラー５４０は、レンズユニット４１０を介して入射した入射光の光路上に傾斜して配置される待機位置と、入射光を避けて上昇する撮影位置（図中に点線で示す）との間を移動する。待機位置にあるメインミラー５４０は、入射光の大半を、上方に配置されたペンタプリズム４７０に導く。ペンタプリズム４７０は、入射光の鏡映を接眼光学系４９０に向かって出射するので、フォーカシングスクリーン４７２の映像を接眼光学系４９０から正像として見ることができる。
【００６７】
入射光の残りは、ペンタプリズム４７０により測光ユニット４８０に導かれる。測光ユニット４８０は、入射光の強度および強度分布等を測定する。なお、ペンタプリズム４７０および接眼光学系４９０の間には、ファインダ液晶４９４に形成された表示画像を、フォーカシングスクリーン４７２からの映像に重ねるハーフミラー４９２が配置される。
【００６８】
メインミラー５４０は、入射光の入射面に対する裏面にサブミラー５４２を有する。サブミラー５４２は、メインミラー５４０を透過した入射光の一部を、下方に配置された測距ユニット５３０に導く。これにより、メインミラー５４０が待機位置にある場合は、測距ユニット５３０が被写体までの距離を測定する。なお、メインミラー５４０が撮影位置に移動した場合は、サブミラー５４２も入射光の光路から退避する。
【００６９】
更に、入射光に対してメインミラー５４０の後方には、シャッタ５２０、光学フィルタ５１０および撮像素子５００が順次配置される。シャッタ５２０が開放される場合、直前にメインミラー５４０が撮影位置に移動するので、入射光は直進して撮像素子５００に入射される。これにより、入射光の形成する画像が電気信号に変換される。
【００７０】
一方、レンズユニット４１０は、図中で左側にあたる入射端から鏡筒４３０内に順次配列された、フロントレンズ４２２、コンペンセータレンズ４２４、フォーカシングレンズ４２６およびメインレンズ４２８を含む光学系を有する。光学系は、鏡筒４３０に収容される。また、フォーカシングレンズ４２６およびメインレンズ４２８の間には、アイリスユニット４４０が配置される。
【００７１】
更に、レンズユニット４１０は、鏡筒４３０の内部に、モータ４０１を備える。モータ４０１は、光軸方向について鏡筒４３０の中程にあって相対的に小径なフォーカシングレンズ４２６の下方に配置される。これにより、鏡筒４３０の径を拡大することなく鏡筒４３０内に収容され、フォーカシングレンズ４２６を光軸方向に前進または後退させる。
【００７２】
ボディ４６０は、ボディ４６０の内部であって、上記光学系の光路を外れた位置に制御部５５０を備える。制御部５５０は、ボディ４６０内部の各部の動作を制御するに留まらず、マウント４５０を介して電気信号を送受信することにより、レンズユニット４１０内部のモータ４０１の動作も制御する。
【００７３】
照明装置１００は、ボディ４６０の頂部に設けられたアクセサリーシュー５６０に、取付脚１２２を嵌合させることにより装着される。これにより、取付部１２０と一体的に形成された固定筐体１１０は、ボディ４６０に対して固定される。また、照明装置１００の連動接点１２４を介して、ボディ４６０側の制御部５５０と通信できる状態になる。
【００７４】
制御部５５０は、ボディ４６０側の測距ユニット５３０が検出した被写体までの距離、露出等の情報を、連動接点１２４を介して照明装置１００にも通知する。これにより、照明装置１００は、ボディ４６０の動作と連動して、発光のタイミングの他、発光量等の制御をする。
【００７５】
図８は、他の撮像装置３００の構造を模式的に示す斜視図である。この図に示すように、撮像装置３００は、シャッタ４６２、モードダイアル４６４、鏡筒４３０等を備えたボディ４６０に、更に、照明装置１００を備える。照明装置１００は、ボディ４６０内における鏡筒４３０の上側に配されている。
【００７６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。例えば、実施形態として、傾動可能の温度センサ１９２を備える構成と、傾動可能のハーフミラー２９２と温度センサとを備える構成と、傾動可能の温度センサと傾動可能の絞り３９２とを備える構成を挙げた。しかし、温度センサ１９２、ハーフミラー２９２及び絞り３９２の三者を組み合わせた構成も適用でき、また、当該三者の何れを可動式とすることは適宜選択できる。
【００７７】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００７８】
１００  照明装置、１１０  固定筐体、１１１  補助光光源、１１２  電池室、１１３  リモート用レディライト、１１４  液晶表示パネル、１１５  カバー、１１６  レディライト、１１８  ボタン、１１９  ダイアル、１２０  取付部、１２２  取付脚、１２４  連動接点、１３０  可動筐体、１３２  水平回動部、１３４  垂直回動部、１３６  ロック解除ボタン、１３８  メインキャパシタ、１４０  閃光発生部、１４１  広角拡散板、１４２  放電管、１４３  キャッチライト反射板、１４４  反射傘、１４９  光路、１５０  移動機構、１５１  移動領域、１５２  モータ、１５４  ボールネジ、１５６  支持部、１６０  フレネルレンズ、１６２  集光領域、１６４  拡散領域、１６６  ＣＰＵ、１６８  発光制御回路、１６９  モータドライバ、１７０  計測ユニット可動機構、１７２  センサ支持部、１７４  ガイド部材、１７５  テーパ面、１７６  支持板、１７７  カム部、１７８  カム板、１７９  回転軸、１８０  電池、１８２  電子回路、１９０  計測ユニット、１９１  受光面、１９２  温度センサ、１９３  移動経路、２００  撮像装置、２０２  表示部、２０４  操作部、２５０  センサ移動機構、２５２  モータ、２５４  ボールネジ、２５６  支持部、２５８  モータドライバ、２９０  計測ユニット、２９２  ハーフミラー、３００  撮像装置、３９０  計測ユニット、３９２  絞り、４０１  モータ、４１０  レンズユニット、４２０  光学部材、４２２  フロントレンズ、４２４  コンペンセータレンズ、４２６  フォーカシングレンズ、４２８  メインレンズ、４３０  鏡筒、４４０  アイリスユニット、４５０  マウント、４６０  ボディ、４６２  シャッタ、４６４  モードダイアル、４７０  ペンタプリズム、４７２  フォーカシングスクリーン、４８０  測光ユニット、４９０  接眼光学系、４９２  ハーフミラー、４９４  ファインダ液晶、５００  撮像素子、５１０  光学フィルタ、５２０  シャッタ、５３０  測距ユニット、５４０  メインミラー、５４２  サブミラー、５５０  制御部、５６０  アクセサリーシュー
【図１】
0005544771.tif 000002
【図２】
0005544771.tif 000003
【図３】
0005544771.tif 000004
【図４】
0005544771.tif 000005
【図５】
0005544771.tif 000006
【図６】
0005544771.tif 000007
【図７】
0005544771.tif 000008
【図８】
0005544771.tif 000009